(57)【要約】      （修正有）【課題】プラグとインターフェースとの間の接続力を強化し、離脱の可能性を低下させ、かつプラグの壊れを避けることができる、接続構造及びアダプタを提供する。【解決手段】接続構造１は、接続板１１と、接続板の一端に設置された第一固定板１２と、接続板の他端に設置された第二固定板１３と、を含む。第二固定板及び第一固定板は、当接面１１１から電子装置の方に突出し、対向して設置され、両方と接続板との間にインターフェースを備える電子装置の端部を収納する収納溝を形成する。接続板にプラグ３１が貫通しかつ電子装置の方に突出するためのプラグ孔１１３が設けられている。本考案は、また上述した接続構造を含むアダプタ３を提供した。【選択図】図１
0003235067.tif 000002
【実用新案登録請求の範囲】
【請求項１】
電子装置に当接される当接面と、アダプタに当接される固定面と、を備える接続板と、
前記接続板の一端に設置されて前記当接面から電子装置の方へ突出する第一固定板と、
前記接続板の他端に設置されて前記当接面から電子装置の方へ突出する第二固定板と、を含み、
前記第二固定板及び第一固定板は、対向して設置され、両方と前記接続板との間にインターフェースを備える電子装置の端部を収納するための収納溝を形成し、
前記収納溝は、インターフェースを備える電子装置の端部に嵌め合い、
前記接続板にプラグが貫通しかつ電子装置の方に突出するためのプラグ孔が設けられていることを特徴とする接続構造。
【請求項２】
前記第一固定板は、前記接続板に対して傾斜し、
前記第二固定板は、前記接続板に対して傾斜することを特徴とする請求項１に記載の接続構造。
【請求項３】
前記第一固定板は、前記収納溝の内部へ突出するように設置されており、
前記第二固定板は、前記収納溝の内部へ突出するように設置されていることを特徴とする請求項２に記載の接続構造。
【請求項４】
前記第一固定板は、前記第二固定板と平行し、前記収納溝の外部へ突出するように設置されており、
前記第二固定板は、前記収納溝の内部へ突出するように設置されていることを特徴とする請求項２に記載の接続構造。
【請求項５】
前記第一固定板は、前記第二固定板と平行し、前記収納溝の内部へ突出するように設置されており、
前記第二固定板は、前記収納溝の外部へ突出するように設置されていることを特徴とする請求項２に記載の接続構造。
【請求項６】
前記第一固定板は、前記第二固定板と平行し、
前記第一固定板及び前記第二固定板は、それぞれ前記接続板と垂直になるように設置されていることを特徴とする請求項２に記載の接続構造。
【請求項７】
前記収納溝に向ける前記第一固定板の内側に第一固定突起が設置されており、
前記収納溝に向ける前記第二固定板の内側に第二固定突起が設置されていることを特徴とする請求項１に記載の接続構造。
【請求項８】
前記第一固定板の角部に第一面取り部が設置されており、
前記第二固定板の角部に第二面取り部が設置されていることを特徴とする請求項１に記載の接続構造。
【請求項９】
電子装置に向ける前記第一固定板の側辺に第三面取り部が設置されており、
電子装置に向ける前記第二固定板の側辺に第四面取り部が設置されていることを特徴とする請求項１に記載の接続構造。
【請求項１０】
電子装置は、折り畳む二つの部品を含み、
二つの部品間に空隙を形成し、
前記第一固定板の突出方向の長さは、前記第二固定板の突出方向の長さより大きく、
前記第二固定板の長さは、空隙の深さより小さいことを特徴とする請求項１に記載の接続構造。
【請求項１１】
前記第二固定板の厚さは、電子装置の空隙の幅より小さいことを特徴とする請求項１０に記載の接続構造。
【請求項１２】
請求項１に記載の前記接続構造と、
前記接続構造に固定して接続されている転接装置と、を含み、
前記転接装置にインターフェース装置及び前記インターフェース装置に接続されるプラグが設置されていることを特徴とするアダプタ。
【請求項１３】
前記プラグは、前記第一固定板の末端から２ｍｍ〜５ｍｍに突出することを特徴とする請求項１２に記載のアダプタ。
【請求項１４】
前記接続構造と前記転接装置との固定方式は、にかわによる固定と、チャックによる固定と、螺子による固定と、又は溶接による固定と、を含むことを特徴とする請求項１２に記載のアダプタ。
【請求項１５】
前記インターフェース装置は、ＵＳＢ−Ｔｙｐｅ−Ｃ型インターフェースと、ＵＳＢ−Ｔｙｐｅ−Ｂ型インターフェースと、ＴＦカード型インターフェースと、オーディオインターフェースと、ＨＤＭＩインターフェースとの中の少なくとも一種を含むことを特徴とする請求項１２に記載のアダプタ。
【考案の詳細な説明】
【技術分野】
【０００１】
本考案は、アダプタ技術分野に属し、さらに具体的に言えば、接続構造及びアダプタに関する。
【背景技術】
【０００２】
従来、電子装置のインターフェースを拡張するための市販アダプタは、大体プラグによりインターフェースに接続かつ固定されている。しかしながら、使用される時、プラグとインターフェースとの接続が緩みやすいことによる両方の接続が失敗する。プラグとインターフェースと固定して接続されている際、使用者が電子装置を移動することがある。移動する時にアダプタがぶつかりやすく、プラグがインターフェース内で壊れ、アダプタだけではなく、電子装置のインターフェースも壊われる可能性がある。
【考案の概要】
【考案が解決しようとする課題】
【０００３】
本考案の目的は、従来の技術にアダプタのプラグが壊れやすいという問題を解決するために接続構造及びアダプタを提供することにある。
【課題を解決するための手段】
【０００４】
本考案は、上述した技術的問題を解決するために、以下の技術的手段を採用する。
提供した接続構造は、
電子装置に当接される当接面と、アダプタに当接される固定面と、を備える接続板と、
前記接続板の一端に設置されて前記当接面から電子装置の方へ突出する第一固定板と、
前記接続板の他端に設置されて前記当接面から電子装置の方へ突出する第二固定板と、
を含む。
前記第二固定板及び前記第一固定板は対向に設置され、両方と前記接続板との間にインターフェースを備える電子装置の端部を収納するための収納溝を形成する。
前記収納溝は、インターフェースを備える電子装置の端部に嵌め合う。
前記接続板にプラグが貫通しかつ電子装置の方に突出するためのプラグ孔が設けられている。
【０００５】
一つの実施例において、前記第一固定板は、前記接続板に対して傾斜する。前記第二固定板は、前記接続板に対して傾斜する。
【０００６】
一つの実施例において、前記第一固定板は、前記収納溝の内部へ突出するように設置されている。前記第二固定板は、前記収納溝の内部へ突出するように設置されている。
【０００７】
一つの実施例において、前記第一固定板は、前記第二固定板と平行し、前記収納溝の外部へ突出するように設置されている。前記第二固定板は、前記収納溝の内部へ突出するように設置されている。
【０００８】
一つの実施例において、前記第一固定板は、前記第二固定板と平行し、前記収納溝の内部へ突出するように設置されている。前記第二固定板は、前記収納溝の外部へ突出するように設置されている。
【０００９】
一つの実施例において、前記第一固定板は、前記第二固定板と平行する。前記第一固定板及び前記第二固定板は、それぞれ前記接続板と垂直になるように設置されている。
【００１０】
一つの実施例において、前記収納溝に向ける前記第一固定板の内側に第一固定突起が設置されている。前記収納溝に向ける前記第二固定板の内側に第二固定突起が設置されている。
【００１１】
一つの実施例において、前記第一固定板の角部に第一面取り部が設置されている。前記第二固定板の角部に第二面取り部が設置されている。
【００１２】
一つの実施例において、電子装置に向ける前記第一固定板の側辺に第三面取り部が設置されている。電子装置に向ける前記第二固定板の側辺に第四面取り部が設置されている。
【００１３】
一つの実施例において、電子装置は、折り畳む二つの部品を含む。
【００１４】
二つの部品間に空隙を形成する。
前記第一固定板の突出方向における長さは、前記第二固定板の突出方向における長さより大きい。
前記第二固定板の長さは、空隙の深さより小さい。
一つの実施例において、前記第二固定板の厚さは、電子装置の空隙の幅より小さい。
提供したアダプタは、
上述した前接続構造と、
前記接続構造に固定接続されている転接装置と、
を含む。
前記転接装置にインターフェース装置及び前記インターフェース装置に接続されるプラグが設置されている。
【００１５】
一つの実施例において、前記プラグは、前記第一固定板の末端から２ｍｍ〜５ｍｍくらい突出する。
【００１６】
一つの実施例において、前記接続構造と前記転接装置との固定方式は、にかわによる固定と、チャックによる固定と、螺子による固定と、又は溶接による固定と、を含む。
【００１７】
一つの実施例において、前記インターフェース装置は、ＵＳＢ−Ｔｙｐｅ−Ｃ型インターフェースと、ＵＳＢ−Ｔｙｐｅ−Ｂ型インターフェースと、ＴＦカード型インターフェースと、オーディオインターフェースと、ＨＤＭＩインターフェースとの中の少なくとも一種を含む。
【考案の効果】
【００１８】
本考案が提供した拡張装置は、従来の技術により、以下の有益な効果を有する。
まず、接続構造は、アダプタに固定して設置されている。第一固定板と、第二固定板と、及び接続板との間にインターフェースを備える電子装置の端部を収納してかつ電子装置の端部の寸法に合わせるための収納溝を形成する。つまり、第一固定板及び第二固定板は、電子装置の端部を挟持または当接する。プラグとインターフェースとの接続力の以外に第一固定板と第二固定板との挟持力を増やすため、さらにプラグと電子装置の端部のインターフェースとの接続力を強化し、両者の意外な脱落を防止する。次に、接続板から突出するように設置されている第一固定板及び第二固定板は、アダプタがぶつかることによるプラグの垂直固定方向に加える力を分担することができるため、大きな力によるプラグが曲がったり壊れたりすることを避ける。最後に、該接続構造は、プラグを備えるあらゆるアダプタに固定して設置されることができるため、従来のアダプタの改良が容易で、プラグの壊れを回避し、プラグの使用寿命を延ばす。
【００１９】
本考案の実施例における技術的解決手段をより明らかにするために、以下、実施例又は従来技術の説明に使用する必要がある図面を簡単に説明する。以下の説明における図面は、本考案のいくつかの実施例に過ぎない。当業者であれば、創造的な労働をしなくても、これらの図面により他の図面を獲得することができる。
【図面の簡単な説明】
【００２０】
【図１】本考案の第一実施例による接続構造の立体構造図である。
【図２】本考案の第一実施例による接続構造の左面図である。
【図３】本考案の第一実施例による接続構造の前面図である。
【図４】本考案の第二実施例による接続構造の左面図である。
【図５】本考案の第三実施例による接続構造の左面図である。
【図６】本考案の第四実施例による接続構造の左面図である。
【図７】本考案の第一実施例による接続構造の下面図である。
【図８】図２のＡ箇所の拡大図である。
【図９】図２のＢ箇所の拡大図である。
【図１０】本考案の第一実施例による接続構造と、電子装置と、キーボードモジュールとの取り付けの概略図である。
【図１１】本考案の実施例によるアダプタの立体構造図である。
【考案を実施するための形態】
【００２１】
本考案の目的、技術的解決手段及び利点をより明らかにするために、以下、図面及び実施例を結合させて本考案をより詳細に説明する。ここで説明される具体的な実施例は本考案を解釈するためのものに過ぎず、本考案を制限するためのものではないことを理解すべきである。
【００２２】
ある部品が他の部品に“固定される”又は“設置される”場合、それが他の部品に直接的に又は間接的に位置してもよいというふうに理解するために説明する必要がある。ある部品が他の部品に“接続される”場合、それが他の部品に直接的に又は間接的に接続されてもよい。専門用語において、“上”、“下”、“左”、“右”等が標示した方位又は位置関係は、図面に示された方位又は位置関係に基づいて便利に本考案を説明するためのものに過ぎず、装置又は部品が特定の方位を有しそして特定の方位で構築すると操作する必要があることを指す又は暗示するためのものではないため、本考案を制限するためものではないことを理解すべきである。当業者であれば、具体的な場合によって上述した用語の具体的な意味を理解してもよい。また、“第一”、“第二”などの用語は説明的な目的のみに用いられ、重要性を指す又は暗示する又は提出した技術的特徴の数量を暗示するためのものではないことを理解すべきである。本考案の説明において、“複数”の意味は、明確で具体的な限定以外、二つ又は二つ以上を指す。
本考案は前記技術的解決手段を説明するために、具体的な図面を結合させて具体的な実施例により詳細に説明する。
（実施形態１）
【００２３】
図１〜図３、及び図１０に示されているように、本実施例による接続構造１は、
電子装置２に当接される当接面１１１と、アダプタ３に当接される固定面１１２と、を備える接続板１１と、
接続板１１の一端に設置されて当接面１１１から電子装置２の方へ突出する第一固定板１２と、
接続板１１の他端に設置されて当接面１１１から電子装置２の方へ突出する第二固定板１３と、を含む。
第二固定板１３及び第一固定板１２は、対向して設置されている。第二固定板１３と、第一固定板１２と、接続板１１との間にインターフェースを備える電子装置２の端部を収納するための収納溝１４を形成する。
収納溝１４は、インターフェースを備える電子装置２の端部に嵌め合う。
接続板１１にアダプタ３のプラグ３１が貫通しかつ電子装置２の方に突出するためのプラグ孔１１３が設けられている。
【００２４】
本実施例の使用原理は、以下のとおりである。
接続構造１は、アダプタ３に固定して接続されている。固定接続方式は、にかわによる固定と、螺子による固定と、又は溶接による固定と、一体成形と、を含むが、これらの固定接続方式に限定されない。アダプタ３に当接される電子装置２は、タブレットパソコン２と、携帯電話と、を含むが、これらの電子装置に限定されない。本実施例において、タブレットパソコン２を例にして説明する。タブレットパソコン２へ突出するようにアダプタ３のプラグ３１がプラグ孔１１３を貫通する。次いで、接続構造１及びタブレットパソコン２を係合する。プラグ３１をインターフェースに対応的に接続され、第一固定板１２及び第二固定板１３はタブレットパソコン２の端部を挟持するようにインターフェースを備えるタブレットパソコン２の端部を収納溝１４の中に差し込み接続が完了する。
【００２５】
本実施例による接続構造１の有益な効果は、以下のとおりである。
まず、接続構造１は、アダプタ３に固定して設置されている。第一固定板１２と、第二固定板１３と、接続板１１との間にインターフェースを備える電子装置２の端部を収納しかつ電子装置２の端部の寸法に合わせるための収納溝１４を形成する。つまり、第一固定板１２及び第二固定板１３は、電子装置２の端部を挟持または当接する。プラグ３１とインターフェースとの接続力の以外に第一固定板１２と第二固定板１３との挟持力を増やすため、さらにプラグ３１と電子装置２の端部のインターフェースとの接続力を強化し、両者の意外な脱落を防止する。次いで、接続板１１から突出するように設置されている第一固定板１２及び第二固定板１３は、アダプタ３がぶつかることによりプラグ３１の垂直固定方向に加える力を分担することができるため、大きな力によるプラグ３１が曲がったり壊れたりすることを避ける。最後に、該接続構造１は、プラグ３１を備えるあらゆるアダプタ３に固定して設置することができるため、従来のアダプタ３の改良が容易で、プラグ３１の壊れを回避し、プラグ３１の使用寿命を延ばす。
【００２６】
一つの実施例において、第一固定板１２は、接続板１１に対して傾斜する。第二固定板１３は、続続板１１に対して傾斜する。収納溝１４は、タブレット２の端部と嵌め合うように設置されている。現在のタブレットパソコンの端部形状は、円状、直角、傾斜角を含む多様な形状である。形状が異なるタブレットパソコン２の端部に嵌め合うように第一固定板１２及び第二固定板１３は接続板１１と傾斜角度を形成する。
【００２７】
一つの実施例において、図４に示されているように、第一固定板１２及び第二固定板１３は、収納溝１４の内部へ設置されている。より大きな挟持力を提供して接続構造１とタブレットパソコン２との間の接続がさらに安定するように、第一固定板１２及び第二固定板１３は、収納溝１４の内部に寄せる。
【００２８】
一つの実施例において、図５に示されているように、第一固定板１２は、第二固定板１３と平行し、収納溝１４の外部へ突出するように設置されている。第二固定板１３は、収納溝１４の内部へ突出するように設置されている。第一固定板１２及び第二固定板１３は、接続板１１が位置する平面と形成する角度が等しい。タブレットパソコン２の傾斜角の端部に嵌め合うように該第一固定板１２は、第二固定板１３に対して傾斜する。
【００２９】
一つの実施例において、図６に示されているように、第一固定板１２は、第二固定板１３と平行し、収納溝１４の外部へ突出するように設置されている。第二固定板１３は、収納溝１４の内部へ突出するように設置されている。第一固定板１２及び第二固定板１３は、接続板１１が位置する平面と形成する角度が等しい。タブレットパソコン２の傾斜角の端部に嵌め合うように該第一固定板１２は、第二固定板１３に対して傾斜する。
【００３０】
一つの実施例において、図２に示されているように、第一固定板１２は、第二固定板１３と平行し、その突出方向及び第二固定板１３の突出方向がそれぞれ接続板１１と垂直になるように設置されている。タブレット２の直角の端部に合わせるために該第一固定板１２及び第二固定板１３は、接続板１１と垂直になるように設置されている。
【００３１】
一つの実施例において、収納溝１４に向ける第一固定板１２の内側に第一固定突起１２１が設置されている。収納溝１４に向ける第二固定板１３の内側に第二固定突起１３１が設置されている。またはその中の一つの固定板に固定突起が設置されてもよい。固定突起の設置により固定板とタブレット２の端部との間の摩擦力を増やし、脱落の防止効果を向上させる。
【００３２】
一つの実施例において、図７に示されているように、第一固定板１２の角部に第一面取り部１２２が設置されている。第二固定板１３の角部に第二面取り部１３２が設置されている。またはその中の一つの固定板に面取り部が設置されてもよい。面取り部の設置により鋭い直角が使用中に使用者を刺すことを防止することができる。
【００３３】
一つの実施例において、図８及び図９に示されているように、電子装置２に向ける第一固定板１２の側辺に第三面取り部１２３が設置されている。電子装置２に向ける第二固定板１３の側辺に第四面取り部１３３が設置されている。接続構造１とタブレット２パソコンとの接続過程において、面取り部は、案内役割を果たす。
【００３４】
一つの実施例において、図２及び図１０に示されているように、第一固定板１２の突出方向の長さは、第二固定板１３の突出方向の長さより大きい。挿入する過程に、使用者は、長さがより大きい第一固定板１２をタブレットパソコン２の端面の上表面に当接し、その後に挿入方向に沿って接続構造１をタブレットパソコン２のインターフェース内に挿入する。第一固定板１２及び第二固定板１３の長さが等しく両者が形成されたタブレットパソコン２の端部の挿入のための収納溝１４の溝口が小さく挿入し難くなることを避ける。また、現在タブレットパソコン２にキーボードモジュール４を増設し、かつキーボードモジュール４がタブレットパソコン２とタブレットパソコン２の下表面に設置されて、キーボードモジュール４とタブレットパソコン２との間に形成した空隙５の深さが小さいため、接続構造１及びタブレットパソコン２を取り付ける際、より長い第一固定板１２は、上方に位置してタブレットパソコン２の上表面に対応する。より短い第二固定板１３は、下方に位置してキーボードモジュール４とタブレットパソコン２との間の空隙５に対応する。第二固定板１３の長さが該空隙５の深さに合わせるように回避処理を行う。第二固定板１３は、長さが該空隙５の深さより小さく、厚さが該空隙５の幅より小さい。
【００３５】
図１１に示されているように、本実施例のほかの目的は、上述した接続構造１と、接続構造１に固定して接続されている転接装置３２と、を含むアダプタ３を提供することにある。転接装置３２にインターフェース装置３３及びインターフェース装置３３に接続されるプラ３１グが設置されている。
【００３６】
一つの実施例において、プラグ３１は、第一固定板１２の末端から電子装置２の方へ２ｍｍ〜５ｍｍに突出する。
【００３７】
一つの実施例において、接続構造１とアダプタ３との固定方式は、にかわによる固定と、チャックによる固定と、螺子による固定と、又は溶接による固定と、を含む。
【００３８】
一つの実施例において、インターフェース装置３３は、ＵＳＢ−Ｔｙｐｅ−Ｃ型インターフェース３２１と、ＵＳＢ−Ｔｙｐｅ−Ｂ型インターフェース３２２と、ＴＦカード型インターフェース３２３と、オーディオインターフェース３２４と、ＨＤＭＩインターフェース３２５と、またはその中の一種または多種を含む。
【００３９】
上記は本考案の優れた実施例に過ぎず、本考案を制限するものではない。当業者であれば、本考案は、様々な変更及び変化してもよい。本考案の精神及び原則の内になされたあらゆる変更、均等な置換及び改良等は、本考案の保護範囲内に含まれる。
【符号の説明】
【００４０】
１      接続構造
１１    接続板
１１１  当接面
１１２  固定面
２      タブレットパソコン
３      アダプタ
１２    第一固定板
１３    第二固定板
１４    収納溝
３１    プラグ
１１３  プラグ孔
１２１  第一固定突起
１３１  第二固定突起
１２２  第一面取り部
１３２  第二ン面取り部
１４１  溝口
４      キーボードモジュール
５      空隙
３２    転接装置
３２１  ＵＳＢ−Ｔｙｐｅ−Ｃ型インターフェース
３２２  ＵＳＢ−Ｔｙｐｅ−Ｂ型インターフェース
３２３  ＴＦカード型インターフェース
３２４  オーディオインターフェース
１２３  第三面取り部
１３３  第四面取り部
３３    インターフェース装置
【図１】
0003235067.tif 000003
【図２】
0003235067.tif 000004
【図３】
0003235067.tif 000005
【図４】
0003235067.tif 000006
【図５】
0003235067.tif 000007
【図６】
0003235067.tif 000008
【図７】
0003235067.tif 000009
【図８】
0003235067.tif 000010
【図９】
0003235067.tif 000011
【図１０】
0003235067.tif 000012
【図１１】
0003235067.tif 000013